(57)【要約】【課題】プロテクタの剥離や脱落を防止できる電子機器を得ることにある。【解決手段】電子機器は、設置面の上に置かれる本体と、本体の後端に回動可能に支持された回動体と、を備えている。回動体は、本体の背後に倒れ込む位置に回動された時に、本体の後端と載置面との間に入り込む端部を有する。回動体の端部にプロテクタが設けられている。プロテクタは、回動体の端部の内側に固定されたベース部と、ベース部から端部の外に向けて突出された突起と、を含んでいる。突起は、回動体が本体の背後に倒れ込んだ時に設置面に接するように構成されているとともに、当該突起よりもベース部の方が大きな形状を有している。【選択図】図６
2014102757.tif 000002
【特許請求の範囲】
【請求項１】
設置面の上に置かれる本体と、
前記本体の後端に回動可能に支持され、前記本体の背後に倒れ込む位置に回動された時に、前記本体の前記後端と前記載置面との間に入り込む端部を有する回動体と、
前記回動体の前記端部に設けられ、前記端部の内側で前記回動体に固定されたベース部と、前記ベース部から前記端部の外に向けて突出され、前記回動体が前記本体の背後に倒れ込んだ時に前記設置面に接するように構成された突起と、を含み、前記ベース部が前記突起よりも大きな形状を有するプロテクタと、
を具備した電子機器。
【請求項２】
請求項１に記載の電子機器において、前記回動体を前記本体の後端に回動可能に連結するヒンジをさらに備えており、前記ヒンジは、前記本体の幅方向に延びる中心軸線を有するとともに、前記プロテクタの前記突起が前記中心軸線と交差する方向に延びる細長い形状を有する電子機器。
【請求項３】
請求項２に記載の電子機器において、前記回動体が前記本体の背後に倒れ込むように回動された時に、前記プロテクタの前記突起が前記本体の前記後端と前記設置面との間で前記本体の奥行き方向に延びるように構成された電子機器。
【請求項４】
請求項１ないし請求項３のいずれか一項に記載の電子機器において、前記回動体は、外壁を有する筐体を含み、前記突起が貫通するスリットが前記筐体の前記外壁に設けられ、前記スリットは、前記外壁の縁に開口された開口端を有するとともに、前記スリットの前記開口端がカバーで塞がれた電子機器。
【請求項５】
請求項４に記載の電子機器において、前記回動体は、前記筐体内に収容された保持部材を含み、前記脚部材の前記ベース部が前記筐体の前記外壁と前記保持部材との間で挟持された電子機器。
【請求項６】
設置面の上に置かれる第１の筐体と、
前記第１の筐体を覆う閉じ位置と、前記第１の筐体の背後に倒れ込む展開位置との間で回動可能に前記第１の筐体の後端に支持され、前記展開位置に回動された時に前記第１の筐体の前記後端と前記設置面との間に入り込む端部を有する第２の筐体と、
前記第２の筐体の内側で前記第２の筐体の外壁と向かい合う保持部材と、
前記第２の筐体の前記外壁と前記保持部材との間で挟持され、前記第２の筐体の前記端部から前記第２の筐体の外に突出されるとともに、前記第２の筐体が前記展開位置に回動された時に前記設置面に接するように構成された突起を有するプロテクタと、
を具備した電子機器。
【請求項７】
請求項６に記載の電子機器において、前記プロテクタは、前記突起が突出されたベース部を含み、前記ベース部が前記外壁と前記保持部材との間に介在された電子機器。
【請求項８】
請求項７に記載の電子機器において、前記外壁は、前記保持部材が固定された主壁部と、前記主壁部を取り囲むように前記主壁部の外周縁から起立された周壁部と、を含み、
前記プロテクタの前記ベース部は、前記周壁部に沿う第１の部分と、前記主壁部に沿う第２の部分と、を含み、前記突起が前記第１の部分から突出されているとともに、前記第２の部分が前記主壁部と前記保持部材との間で挟み込まれた電子機器。
【請求項９】
請求項８に記載の電子機器において、前記ベース部の前記第２の部分は、前記突起が前記設置面によって押される方向とは交差する方向から前記主壁部と前記保持部材との間で挟み込まれた電子機器。
【請求項１０】
請求項８又は請求項９に記載の電子機器において、前記保持部材は、前記突起の反対側から前記第１の部分と向かい合う端部を有し、当該端部と前記第１の部分との間に隙間が設けられた電子機器。
【請求項１１】
請求項１０に記載の電子機器において、前記保持部材が前記主壁部に接着剤で固定された電子機器。
【請求項１２】
請求項８に記載の電子機器において、前記突起が貫通する通孔が前記筐体の前記周壁部に設けられ、前記通孔は、前記周壁部の縁に開口された開口端を有するとともに、前記通孔の前記開口端がカバーで塞がれた電子機器。
【請求項１３】
請求項１２に記載の電子機器において、前記第２の筐体を前記第１の筐体に回動可能に連結するヒンジをさらに備えており、前記ヒンジは、前記第１の筐体の内側に配置されたヒンジ軸と、前記ヒンジ軸から前記第２の筐体の前記端部に向けて突出されたブラケットと、を有し、前記ブラケットが前記保持部材に固定された電子機器。
【請求項１４】
設置面の上に置かれる第１の筐体と、
前記第１の筐体の後端に支持され、前記第１の筐体の背後に倒れ込むように回動可能な第２の筐体と、
前記第２の筐体の内側に位置された保持部材と、
前記第２の筐体と前記保持部材との間で挟持されたベース部と、前記ベース部から前記第２の筐体の外に向けて突出され、前記第２の筐体が前記第１の筐体の背後に倒れ込むように回動された時に前記設置面に接するように構成された突起と、を含み、前記ベース部が前記突起よりも大きな形状を有するプロテクタと、
を具備した電子機器。
【請求項１５】
請求項１、請求項６および請求項１４のいずれか一項に記載の電子機器において、前記プロテクタがゴム状弾性体で構成された電子機器。
【発明の詳細な説明】
【技術分野】
【０００１】
本発明の実施形態は、電子機器に関する。
【背景技術】
【０００２】
電子機器の一例であるポータブルコンピュータは、例えば机の天板の上に載置される本体と、本体の後端に回動可能に支持されたディスプレイと、を備えている。ディスプレイを本体の背後に倒れ込むように回動させた時に、ディスプレイの基端部が天板と本体の後端との間に入り込むタイプのポータブルコンピュータでは、ディスプレイの基端部の外周面にプロテクタが設けられている。
【０００３】
プロテクタは、ディスプレイの基端部又は天板が互いに擦れ合って傷付くのを防止するための要素であって、例えばエラストマーのようなゴム状弾性体で構成されている。
【先行技術文献】
【特許文献】
【０００４】
【特許文献１】特開２００９−１８１２８０号公報
【特許文献２】米国特許第６４７３２９６Ｂ２号明細書
【特許文献３】特開２００２−９４５４号公報
【発明の概要】
【発明が解決しようとする課題】
【０００５】
従来のポータブルコンピュータによると、プロテクタは、ディスプレイの基端部の外周面に接着剤あるいは両面接着テープを介して貼り付けられているに止まっている。このため、例えばプロテクタに衝撃が加わった時に、プロテクタがディスプレイの基端部から剥がれたり、脱落することがあり得る。
【０００６】
本発明の目的は、設置面に接するプロテクタをしっかりと固定することができ、プロテクタの剥離や脱落を防止できる電子機器を得ることにある。
【課題を解決するための手段】
【０００７】
実施形態によれば、電子機器は、設置面の上に置かれる本体と、本体の後端に回動可能に支持された回動体と、を備えている。回動体は、本体の背後に倒れ込む位置に回動された時に、本体の後端と載置面との間に入り込む端部を有する。回動体の端部にプロテクタが設けられている。プロテクタは、回動体の端部の内側に固定されたベース部と、ベース部から端部の外に向けて突出された突起と、を含んでいる。突起は、回動体が本体の背後に倒れ込んだ時に設置面に接するように構成されているとともに、当該突起よりもベース部の方が大きな形状を有している。
【図面の簡単な説明】
【０００８】
【図１】第１の実施形態に係るポータブルコンピュータの斜視図。
【図２】ディスプレイが本体の背後に倒れ込む展開位置に回動された状態を示すポータブルコンピュータの側面図。
【図３】図２の中のＦ３の箇所を拡大して示す側面図。
【図４】ディスプレイに設けられたプロテクタの形状を示すポータブルコンピュータの斜視図。
【図５】ディスプレイの内部の構造を示すポータブルコンピュータの断面図。
【図６】プロテクタが設置面に接した状態を示すポータブルコンピュータの断面図。
【図７】ディスプレイの正面図。
【図８】図７のＦ８−Ｆ８線に沿う断面図。
【図９】第２の筐体を構成するディスプレイカバーの斜視図。
【図１０】図９の中のＦ１０の箇所を拡大して示す斜視図。
【図１１】図９の中のＦ１１の箇所を拡大して示す斜視図。
【図１２】（Ａ）は、プロテクタの正面図。（Ｂ）は、プロテクタの側面図。（Ｃ）は、プロテクタの斜視図。
【図１３】第２の実施形態において、ディスプレイに設けられたプロテクタの形状を示すポータブルコンピュータの斜視図。
【図１４】第３の実施形態において、ディスプレイに設けられたプロテクタの形状を示すポータブルコンピュータの斜視図。
【発明を実施するための形態】
【０００９】
[第１の実施形態]
以下、第１の実施形態について、図１ないし図１２を参照して説明する。
【００１０】
図１および図２は、電子機器の一例であるポータブルコンピュータ１を開示している。ポータブルコンピュータ１は、本体２およびディスプレイ３を備えている。
【００１１】
本体２は、例えば机の天板のような水平な設置面４の上に置かれる要素である。本体２は、第１の筐体５を含んでいる。第１の筐体５は、例えばＣＰＵが実装されたマザーボードおよびハードディスク駆動装置のような主要な構成要素を収容している。
【００１２】
第１の筐体５は、底面５ａおよび上面５ｂを有している。第１の筐体５の底面５ａに複数の脚６が設けられている。脚６は、設置面４に接するように底面５ａの四つの角部から突出されている。脚６は、設置面４に対する本体２の滑りを防止するため、例えばエラストマーのようなゴム状弾性体で構成されている。
【００１３】
パームレスト７およびキーボード８が第１の筐体５の上面５ｂに設けられている。パームレスト７は、上面５ｂの前半部において第１の筐体５の幅方向に延びている。パームレスト７の中央部には、タッチパッド９が配置されている。キーボード８は、パームレスト７の背後で第１の筐体５の上面５ｂに露出されている。
【００１４】
ディスプレイ３は、回動体の一例である。図５ないし図７に示すように、ディスプレイ３は、第２の筐体１１およびディスプレイモジュール１２を備えている。第２の筐体１１は、例えばディスプレイカバー１３、ディスプレイマスク１４および表面パネル１５で構成されている。
【００１５】
図２および図９に示すように、本実施形態のディスプレイカバー１３は、第１のカバー部１７と第２のカバー部１８とを互いに組み合わすことで構成されている。第１のカバー部１７は、合成樹脂材料で形成されている。第２のカバー部１８は、例えばアルミニウムのような金属材料で形成されている。
【００１６】
第１のカバー部１７は、第２の筐体１１の外に露出される外郭部１９と、外郭部１９に連続する内壁部２０とを備えている。第２のカバー部１８は、第１のカバー部１７の内壁部２０の外面に被せられているとともに、例えば接着等の手段により内壁部２０に固定されている。そのため、図１４に最もよく示されるように、第２のカバー部１８は、第２の筐体１１の外に露出された外壁２１を有している。外壁２１は、第１のカバー部１７の外郭部１９に連続している。
【００１７】
図４ないし図１１に示すように、外壁２１は、主壁部２２と、主壁部２２の外周縁から起立された周壁部２３とを含んでいる。主壁部２２の内面の多くの領域は、第１のカバー部１７の内壁部２０で覆われている。言い換えると、主壁部２２の内面は、内壁部２０から外れた領域２２ａを有している。領域２２ａは、第２の筐体１１の高さ方向に沿う一端において、第２の筐体１１の幅方向に延びる細長い形状を有している。
【００１８】
図８および図９に示すように、ミドルフレーム２５が主壁部２２の領域２２ａに配置されている。ミドルフレーム２５は、保持部材の一例であって、例えばマグネシウム合金のような金属材料で構成されている。ミドルフレーム２５は、第２の筐体１１の幅方向に延びる細長い形状を有している。ミドルフレーム２５は、主壁部２２の領域２２ａに例えば接着剤２６で固定されているとともに、第２のカバー部１８の周壁部２３によって囲まれている。
【００１９】
ミドルフレーム２５は、一対のヒンジ固定部２７ａ，２７ｂを有している。ヒンジ固定部２７ａ，２７ｂは、フラットな板状に形成されているとともに、第２の筐体１１の幅方向に互いに離れている。
【００２０】
ディスプレイマスク１４は、合成樹脂材料で形成されている。ディスプレイマスク１４は、第２の筐体１１の幅方向に延びる細長い形状を有している。ディスプレイマスク１４は、第２の筐体１１の高さ方向に沿う一端で第２のカバー部１８の周壁部２３の内側に嵌め込まれている。本実施形態によると、ディスプレイマスク１４は、ミドルフレーム２５のうちヒンジ固定部２７ａ，２７ｂの間を結ぶ中央部分を覆い隠している。
【００２１】
表面パネル１５は、例えばガラスあるいはプラスチックのような透光性材料で構成されている。図１および図７に示すように、表面パネル１５は、四角い透明な表示領域１５ａと、表示領域１５ａを取り囲む不透明なマスク部１５ｂとを有している。表示領域１５ａおよびマスク部１５ｂは、同一の平面上に位置されている。さらに、表面パネル１５の表示領域１５ａの裏面に手書き入力機能を有する圧電式又は静電式のタッチセンサ２８が貼り付けられている。
【００２２】
表面パネル１５は、ディスプレイカバー１３の内側に嵌め込まれるとともに、表面パネル１５の一辺がディスプレイマスク１４の上に重ね合わされている。そのため、表面パネル１５は、ディスプレイマスク１４と協働してディスプレイカバー１３の開口端を覆っている。
【００２３】
図５に示すように、ディスプレイモジュール１２は、ディスプレイカバー１３と表面パネル１５との間に介在されている。ディスプレイモジュール１２は、画像および映像を表示する四角い表示画面１２ａを有している。表示画面１２ａは、タッチセンサ２８の裏面と向かい合っている。表示画面１２ａとタッチセンサ２８との間には、モアレ縞を防ぐための間隙２９が確保されている。
【００２４】
ディスプレイ３は、本体２の後端２ａに一対のヒンジ３０ａ，３０ｂを介して支持されている。図９ないし図１１に示すように、ヒンジ３０ａ，３０ｂは、ディスプレイ３の幅方向に互いに離れている。ヒンジ３０ａ，３０ｂは、夫々ヒンジ軸３１、第１のメタルブラケット３２および第２のメタルブラケット３３を有している。
【００２５】
ヒンジ軸３１は、ディスプレイ３の幅方向に水平に延びる中心軸線Ｏ１を有している。第１のメタルブラケット３２は、ヒンジ軸３１に対し軸回り方向に回動可能に連結されている。第１のメタルブラケット３２は、ヒンジ軸３１からヒンジ軸３１と直交する方向に突出されて、第１の筐体５に固定されている。図６に示すように、ヒンジ軸３１および第１のメタルブラケット３２は、本体２の後端２ａに位置するように第１の筐体５の内部に収容されているとともに、ヒンジ軸３１が第１の筐体５の上面５ｂよりも下方に位置されている。
【００２６】
さらに、第１のメタルブラケット３２には、例えば複数のワッシャスプリングやストッパを組み合わせたブレーキ機構３４を介して制動力が付加されている。これにより、ヒンジ軸３１に対する第１のメタルブラケット３２の自由な回動が制限されている。
【００２７】
図１０および図１１に示すように、第２のメタルブラケット３３は、ヒンジ軸３１の一端に固定されている。第２のメタルブラケット３３は、ヒンジ軸３１の一端からヒンジ軸３１と直交する方向に突出されたアーム部３３ａと、アーム部３３ａの突出端に連続して形成された固定座部３３ｂとを備えている。固定座部３３ｂは、ヒンジ軸３１と平行なフラットな板状に形成されている。
【００２８】
本実施形態によると、第２のメタルブラケット３３の固定座部３３ｂは、ミドルフレーム２５のヒンジ固定部２７ａ，２７ｂの上に複数のピン３５で固定されている。ピン３５は、ヒンジ固定部２７ａ，２７ｂと固定座部３３ｂとの間に跨るとともに、その先端がかしめられている。これにより、ヒンジ３０ａ，３０ｂの第２のメタルブラケット３３が第２の筐体１１に一体的に保持されている。
【００２９】
第２のメタルブラケット３３のアーム部３３ａは、ヒンジ３０ａ，３０ｂが位置されたディスプレイ３の端部３７を貫通して本体２の後端２ａに導かれている。このため、ディスプレイ３は、ヒンジ軸３１を支点として閉じ位置、中間位置および展開位置との間で回動可能となっている。
【００３０】
図４は、ディスプレイ３が閉じ位置に回動された状態を示している。閉じ位置では、ディスプレイ３は、パームレスト７およびキーボード８を覆い隠すように本体２の上に被さっている。
【００３１】
図２の二点鎖線および図６は、ディスプレイ３が中間位置に回動された状態を示している。中間位置では、ディスプレイ３は、パームレスト７およびキーボード８を露出させるように本体２の後端２ａから立ち上がっている。
【００３２】
さらに、図２の実線および図６は、ディスプレイ３が展開位置に回動された状態を示している。展開位置では、ディスプレイ３は、本体２の背後に倒れ込んでいる。
【００３３】
図３に拡大して示すように、ディスプレイ３を展開位置に回動させた状態では、ディスプレイ３の端部３７が設置面４と本体２の後端２ａとの間に入り込む。そのため、ディスプレイ３を設置面４に沿うように最大限に倒した状態では、本体２およびディスプレイ３が設置面４の上で略水平に連続した形態となる。よって、ディスプレイ３をタブレットとして使用する上で好都合となる。
【００３４】
図５に示すように、ヒンジ３０ａ，３０ｂの第２のメタルブラケット３３の固定座部３３ｂは、ディスプレイマスク１４によって部分的に覆い隠されている。さらに、固定座部３３ｂのうちディスプレイマスク１４を外れた箇所は、ヒンジ３０ａ，３０ｂ毎にヒンジカバー３９で覆われている。ヒンジカバー３９は、ディスプレイ３の端部３７に位置されているとともに、ディスプレイマスク１４に連続されている。
【００３５】
ヒンジカバー３９は、硬質な樹脂製のプレート部４０と、プレート部４０の外周縁部に一体に形成された縁取り部４１とを有している。縁取り部４１は、プレート部４０よりも柔軟なゴム状弾性体で構成されている。
【００３６】
図６および図８に示すように、ヒンジカバー３９のプレート部４０は、両面接着テープ４２を介してミドルフレーム２５のヒンジ固定部２７ａ，２７ｂの上に仮止めされている。プレート部４０の周縁部は、ディスプレイマスク１４とミドルフレーム２５のヒンジ固定部２７ａ，２７ｂとの間で挟み込まれている。さらに、プレート部４０に形成された複数の爪４３（図６に一つのみを図示）がディスプレイマスク１４およびミドルフレーム２５に取り外し可能に引っ掛かっている。
【００３７】
図３および図５に示すように、ヒンジカバー３９の縁取り部４１は、ディスプレイ３の端部３７で第２のカバー部１８の周壁部２３に連続するように、周壁部２３の先端縁に突き合わされている。
【００３８】
図９に示すように、一対のプロテクタ４５がディスプレイカバー１３に取り付けられている。プロテクタ４５は、ディスプレイ３を中間位置から展開位置に向けて回動させた時に、ディスプレイ３の端部３７および設置面４が互いに擦れ合って傷付くのを防止するための要素である。
【００３９】
プロテクタ４５は、ディスプレイ３の幅方向に互いに離れているとともに、ディスプレイ３を中間位置又は展開位置に回動させた時に、ディスプレイ３の下端に位置されて設置面４と向かい合う。本実施形態によると、プロテクタ４５は、例えばエラストマーのようなゴム状弾性体で構成されている。
【００４０】
図１２に示すように、各プロテクタ４５は、ベース部４６および突起４７を備えている。ベース部４６は、ディスプレイカバー１３の第２のカバー部１８の内側に収容された要素であって、第１の部分４８ａおよび第２の部分４８ｂを有している。
【００４１】
第１の部分４８ａは、ディスプレイカバー１３を構成する第２のカバー部１８の周壁部２３に沿うような四角い形状を有している。第１の部分４８ａは、周壁部２３の内面に接している。
【００４２】
第２の部分４８ｂは、第１の部分４８ａの一端から第２のカバー部１８の主壁部２２に沿うように一体に延出されて、第１の部分４８ａと交差する方向に延びている。そのため、ベース部４６は、第１の部分４８ａと第２の部分４８ｂとの境界で鋭角に折れ曲がっている。さらに、第２の部分４８ｂは、第１の部分４８ａよりも大きな四角い形状を有している。
【００４３】
本実施形態によると、ベース部４６の第２の部分４８ｂは、主壁部２２の内面に例えば両面接着テープ５０を介して仮止めされている。それとともに、第２の部分４８ｂは、主壁部２２とミドルフレーム２５との間に介在されて、これら主壁部２２およびミドルフレーム２５により第２の筐体１１の厚さ方向に挟み込まれている。
【００４４】
プロテクタ４５の突起４７は、ベース部４６の第１の部分４８ａの中央から一体に突出されている。突起４７は、ヒンジ軸３１の中心軸線Ｏ１と直交する方向に延びる細長い板状であり、第１の部分４８ａおよび第２の部分４８ｂを含めたベース部４６の方が突起４７よりも大きな形状を有している。
【００４５】
突起４７は、第２のカバー部１８の周壁部２３に設けたスリット５１を通じてディスプレイ３の端部３７の外に突出されている。スリット５１は、第２の筐体１１の厚さ方向に沿うとともに、周壁部２３の先端縁に開口されている。スリット５１の開口端は、ヒンジカバー３９の縁取り部４１で閉じられている。
【００４６】
図６に示すように、ベース部４６の第１の部分４８ａは、第２のカバー部１８の主壁部２２とヒンジカバー３９との間でミドルフレーム２５の端部２５ａと向かい合っている。言い換えると、ベース部４６の第１の部分４８ａは、第２のカバー部１８の周壁部２３とミドルフレーム２５の端部２５ａとの間に介在されている。
【００４７】
本実施形態によると、ミドルフレーム２５の端部２５ａは、突起４７の反対側から第１の部分４８ａと向かい合うとともに、第１の部分４８ａとミドルフレーム２５の端部２５ａとの間に隙間５２が確保されている。
【００４８】
さらに、第１の部分４８ａは、周壁部２３の内面に接することで第２のカバー部１８の内側からスリット５１を覆っている。そのため、第２の筐体１１の内部にスリット５１を通じて例えば塵埃のような異物が入り込むことはない。
【００４９】
プロテクタ４５の突起４７は、ディスプレイ３が展開位置に回動された時に、ポータブルコンピュータ１の奥行き方向に沿って直線状に延びている。図３に示すように、ディスプレイ３を中間位置から展開位置に向けて回動させると、ディスプレイ３の端部３７が本体２の背後でヒンジ軸３１を中心とする円弧を描いて下向きに移動する。
【００５０】
ディスプレイ３の端部３７が本体２の後端２ａと設置面４との間に入り込み始めた段階で、プロテクタ４５の突起４７が設置面４に接触する。これにより、本体２の後端２ａが設置面４から浮き上がり、本体２の後端２ａに位置された一対の脚６が設置面４から離れる。
【００５１】
本体２の後端２ａが設置面４から浮き上がった状態でも、本体２の前端に位置された一対の脚６が設置面４に接しているとともに、ディスプレイ３に固定されたプロテクタ４５の突起４７が本体２の後端２ａの下で設置面４に接している。したがって、本体２は、ディスプレイ３が閉じ位置に回動された時と同様に、四箇所で設置面４の上に支えられることになり、設置面４の上に置かれたポータブルコンピュータ１の姿勢が安定する。
【００５２】
さらに、脚６および突起４７は、共に摩擦係数が大きいゴム状弾性体で構成されている。このため、設置面４の上に置かれたポータブルコンピュータ１の滑りを防止することができる。
【００５３】
本実施形態によると、プロテクタ４５のベース部４６は、ディスプレイ３の外に突出された突起４７よりも大きな形状を有している。ベース部４６の第１の部分４８ａは、第２のカバー部１８の周壁部２３の内面に沿うように設けられ、第２の部分４８ｂは、第２のカバー部１８の主壁部２２の内面に沿うように設けられている。この結果、例えば突起４７をスリット５１から引き出そうとする方向の力がプロテクタ４５に加わったとしても、プロテクタ４５のベース部４６が第２のカバー部１８の周壁部２３や主壁部２２に引っ掛かる。
【００５４】
しかも、ベース部４６の第２の部分４８ｂは、主壁部２２と、当該主壁部２２の内面に接着されたミドルフレーム２５との間で第２の筐体１１の厚さ方向に挟み込まれている。このため、第２の部分４８ｂは、突起４７が設置面４によって押される方向および突起４７をスリット５１から引き出そうとする方向とは交差する方向から押さえ込まれることになり、プロテクタ４５が第２の筐体１１に対して動き難くなる。
【００５５】
加えて、突起４７が貫通するスリット５１の開口端は、ヒンジカバー３９の縁取り部４１で閉じられているので、突起４７がスリット５１の開口端から抜け出ることもない。
【００５６】
したがって、プロテクタ４５を第２の筐体１１の内部にしっかりと固定することができ、ディスプレイ３の回動に伴ってプロテクタ４５の突起４７が設置面４と擦れ合っても、プロテクタ４５の剥がれや脱落を防ぐことができる。
【００５７】
さらに、突起４７を有するベース部４６の第１の部分４８ａは、ミドルフレーム２５の端部２５ａと第２のカバー部１８の周壁部２３との間に介在されている。そのため、突起４７がスリット５１内に押し込まれるような外を受けた場合でも、ベース部４６の第１の部分４８ａがミドルフレーム２５の端部２５ａに突き当たり、突起４７が第２の筐体１１の内側に引っ込むのを防止できる。
【００５８】
一方、本実施形態では、ディスプレイカバー１３が第１のカバー部１７と第２のカバー部１８とを互いに組み合わすことで構成され、ミドルフレーム２５が第２のカバー部１８の主壁部２２に接着されている。
【００５９】
この構成によると、例えば第１のカバー部１７と第２のカバー部１８との接合部および第２のカバー部１８とミドルフレーム２５との接合部に夫々生じた寸法公差が、第２のカバー部１８の周壁部２３とミドルフレーム２５の端部２５ａとの間に相乗的に作用することがある。
【００６０】
これにより、第２のカバー部１８の周壁部２３とミドルフレーム２５の端部２５ａとの間の寸法が微妙に変動し、前記寸法公差の値によっては、第２のカバー部１８の周壁部２３とミドルフレーム２５の端部２５ａとの間の寸法が規定値を下回って、プロテクタ４５の取り付けが阻害される可能性があり得る。
【００６１】
しかるに、本実施形態では、ベース部４６の第１の部分４８ａとミドルフレーム２５の端部２５ａとの間に隙間５２が確保されているので、当該隙間５２によって第２のカバー部１８の周壁部２３とミドルフレーム２５の端部２５ａとの間に作用する寸法公差を吸収することができる。
【００６２】
したがって、プロテクタ４５のベース部４６をディスプレイカバー１３とミドルフレーム２５との間に無理なく設置することができる。
【００６３】
[第２の実施形態]
図１３は、第２の実施形態を開示している。
【００６４】
第２の実施形態は、プロテクタ４５が一対の突起６１ａ，６１ｂを有している点が第１の実施形態と相違している。それ以外のポータブルコンピュータ１の構成は、第１の実施形態と同様である。
【００６５】
突起６１ａ，６１ｂは、ベース部４６の第１の部分４８ａから一体に突出されているとともに、ディスプレイ３の幅方向に互いに間隔を存して並んでいる。
【００６６】
第２の実施形態によると、ディスプレイ３を設置面４の上で展開位置に回動させた時に、一対の突起６１ａ，６１ｂが設置面４に接触する。このため、各突起６１ａ，６１ｂに加わる荷重負担が軽減され、突起６１ａ，６１ｂの損傷や劣化を防止できる。
【００６７】
[第３の実施形態]
図１４は、第３の実施形態を開示している。
【００６８】
第３の実施形態は、プロテクタ４５の突起４７が主壁部２２の上に回り込む延長部７１を有している点が第１の実施形態と相違している。それ以外のポータブルコンピュータ１の構成は、第１の実施形態と同様である。
【００６９】
延長部７１は、主壁部２２を貫通するようにベース部４６の第２の部分４８ｂから一体に突出されている。すなわち、第３の実施形態では、第２のカバー部１８のスリット５１が周壁部２３から主壁部２２に連続して開口する開口端部５１ａを有している。突起４７ａの延長部７１は、スリット５１の開口端部５１ａを通して主壁部２２の外に突出されている。
【００７０】
第３の実施形態によると、ディスプレイ３を設置面４に沿うように最大限に回動させた状態では、突起４７の延長部７１が設置面４に接触する。そのため、主壁部２２の外面が延長部７１の高さに相当する分だけ設置面４から浮き上がり、主壁部２２の外面の傷付きを防止することができる。
【００７１】
第１の実施形態では、ヒンジを固定するミドルフレームとディスプレイカバーとの間でプロテクタのベース部を挟み込んでいるが、例えば第２の筐体の内部に収容された他の部品とディスプレイカバーとの間でプロテクタのベース部を挟み込むようにしてもよい。
【００７２】
さらに、例えばディスプレイマスクにディスプレイカバーに向けて突出するボス部を形成し、当該ボス部とディスプレイカバーとの間でプロテクタのベース部を挟み込むようにしてもよい。
【００７３】
それとともに、第１の実施形態では、ディスプレイを回動体の一例としたが、回動体は例えば本体を開閉可能に覆う蓋であってもよい。
【００７４】
加えて、プロテクタはゴム状弾性体で形成することに限らず、例えば合成樹脂材料で形成するようにしてもよい。
【００７５】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７６】
２…本体、２ａ…後端、３…回動体（ディスプレイ）、４…設置面、５…第１の筐体、１１…第２の筐体、２５…保持部材（ミドルフレーム）、３７…端部、４５…プロテクタ、４６…ベース部、４７…突起。
【図１】
2014102757.tif 000003
【図２】
2014102757.tif 000004
【図３】
2014102757.tif 000005
【図４】
2014102757.tif 000006
【図５】
2014102757.tif 000007
【図６】
2014102757.tif 000008
【図７】
2014102757.tif 000009
【図８】
2014102757.tif 000010
【図９】
2014102757.tif 000011
【図１０】
2014102757.tif 000012
【図１１】
2014102757.tif 000013
【図１２】
2014102757.tif 000014
【図１３】
2014102757.tif 000015
【図１４】
2014102757.tif 000016